(57)【特許請求の範囲】
【請求項１】
デジタル放送サービスを提供するためのビデオデータストリームを伝送する方法において、
ビデオデータが再生されて構成するビデオ画面上で３Ｄサブタイトルを再生するために、基本視点サブタイトルデータ及び付加視点サブタイトルデータを含むサブタイトルストリームを生成する段階と、
前記基本視点サブタイトルデータに基づいて、前記ビデオ画面上で３Ｄサブタイトルを構成するための３Ｄサブタイトル再生情報を定める段階と、
前記ビデオデータ、前記３Ｄサブタイトル再生情報、及び前記サブタイトルストリームを含むビデオストリームを多重化してデータストリームを出力する段階と、を含み、
前記３Ｄサブタイトル再生情報は、前記３Ｄサブタイトルの形態を示す３Ｄサブタイトルタイプ情報を含み、
前記３Ｄサブタイトル再生情報は、第１サブタイトルタイプと第２サブタイトルタイプのうち再生優先権を示す情報を含む、
ことを特徴とするビデオデータストリーム伝送方法。
【請求項２】
前記３Ｄサブタイトル再生情報を定める段階は、
前記ビデオストリームがプログラムマップテーブル（Ｐｒｏｇｒａｍ  Ｍａｐ  Ｔａｂｌｅ；ＰＭＴ）を含む場合に、前記３Ｄサブタイトル再生情報を前記プログラムマップテーブルの記述子領域に挿入する段階を含むことを特徴とする請求項１に記載のビデオデータストリーム伝送方法。
【請求項３】
サブタイトルデータは、一つ以上のサブタイトルページに識別され、前記基本視点サブタイトルデータと前記付加視点サブタイトルデータとは互いに異なるサブタイトルページに識別される場合に、前記３Ｄサブタイトル再生情報は、前記基本視点サブタイトルデータのページ識別情報、及び前記基本視点サブタイトルデータに基づいて前記３Ｄサブタイトルを構成するために使われる前記３Ｄサブタイトルの形態を示す３Ｄサブタイトルタイプ情報のうち少なくとも一つを含み、
前記３Ｄサブタイトル再生情報は、前記基本視点サブタイトルデータと対応して、共に３Ｄサブタイトルを構成する付加視点サブタイトルデータのページ識別情報、及び前記ビデオ画面上で基本視点サブタイトルと付加視点サブタイトルとの間隔に関する情報のうち少なくとも一つをさらに含むことを特徴とする請求項１に記載のビデオデータストリーム伝送方法。
【請求項４】
前記基本視点サブタイトルと付加視点サブタイトルとの間隔に関する情報は、前記基本視点サブタイトルと前記付加視点サブタイトルとの間隔の方向に関する情報、及び前記基本視点サブタイトルと付加視点サブタイトルとのデプス差、変異差及びオフセットのうち少なくとも一つを示す位置差に関する情報を含み、
前記３Ｄサブタイトルタイプ情報は、前記間隔に関する情報を用いて前記３Ｄサブタイトルが構成される第１サブタイトルタイプ、及び前記基本視点サブタイトルデータと前記付加視点サブタイトルデータとを用いて前記３Ｄサブタイトルが構成される第２サブタイトルタイプのうち一つを示すことを特徴とする請求項３に記載のビデオデータストリーム伝送方法。
【請求項５】
デジタル放送サービスを提供するビデオデータストリームを受信する方法において、
受信されたＴＳパッケージを逆多重化して、ビデオデータ、３Ｄサブタイトル再生情報及び３Ｄサブタイトル再生情報を含むビデオストリームを抽出する段階と、
前記ビデオストリームから３Ｄビデオの基本視点ビデオデータ及び付加視点ビデオデータを抽出する段階と、
サブタイトルストリームから、前記ビデオデータが再生されて構成するビデオ画面上で３Ｄサブタイトルを再生するために、基本視点サブタイトルデータ及び付加視点サブタイトルデータを抽出する段階と、を含み、
前記３Ｄサブタイトル再生情報は、前記３Ｄサブタイトルの形態を示す３Ｄサブタイトルタイプ情報を含み、
前記３Ｄサブタイトル再生情報は、第１サブタイトルタイプと第２サブタイトルタイプのうち再生優先権を示す情報を含む、
ことを特徴とするビデオデータストリーム受信方法。
【請求項６】
前記ビデオデータストリーム受信方法は、
前記基本視点サブタイトルデータ及び前記３Ｄサブタイトル再生情報に基づいて、前記基本視点ビデオデータと前記付加視点ビデオデータと前記３Ｄサブタイトルとを合成して再生する段階をさらに含むことを特徴とする請求項５に記載のビデオデータストリーム受信方法。
【請求項７】
前記３Ｄサブタイトル再生情報を抽出する段階は、
プログラムマップテーブル（ＰＭＴ）から、前記３Ｄサブタイトル再生情報を抽出する段階と、
前記プログラムマップテーブルの記述子領域から、前記３Ｄサブタイトル再生情報を抽出する段階と、を含むことを特徴とする請求項５に記載のビデオデータストリーム受信方法。
【請求項８】
前記３Ｄサブタイトル再生情報を抽出する段階は、
前記３Ｄサブタイトル再生情報から、前記基本視点サブタイトルデータのページ識別情報、及び前記基本視点サブタイトルデータに基づいて、前記３Ｄサブタイトルを構成するために使われる前記３Ｄサブタイトルの形態を示す３Ｄサブタイトルタイプ情報を検出する段階を含み、
前記サブタイトルストリームのうち、第１サブタイトルストリームから第１ページを構成する前記基本視点サブタイトルデータが抽出され、前記サブタイトルストリームのうち、第２サブタイトルストリームから第２ページを構成する前記付加視点サブタイトルデータが抽出されることを特徴とする請求項５に記載のビデオデータストリーム受信方法。
【請求項９】
前記３Ｄサブタイトル再生情報抽出段階は、
前記３Ｄサブタイトル再生情報から、前記基本視点サブタイトルデータと対応して、共に３Ｄサブタイトルを構成する付加視点サブタイトルデータのページ識別情報、及び前記ビデオ画面上で基本視点サブタイトルと付加視点サブタイトルとの間隔に関する情報のうち少なくとも一つを検出する段階と、
前記基本視点サブタイトルと付加視点サブタイトルとの間隔に関する情報から、前記基本視点サブタイトルと前記付加視点サブタイトルとの間隔の方向に関する情報、及び前記基本視点サブタイトルと付加視点サブタイトルとのデプス差、変異差及びオフセットのうち少なくとも一つを示す位置差に関する情報を検出する段階と、をさらに含むことを特徴とする請求項８に記載のビデオデータストリーム受信方法。
【請求項１０】
前記ビデオデータストリーム受信方法は、
現在３Ｄサブタイトルタイプが、前記間隔に関する情報を用いて前記３Ｄサブタイトルを構成する第１サブタイトルタイプであると定める段階と、
前記基本視点サブタイトルデータを前記基本視点ビデオデータと合成する段階と、
前記間隔に関する情報を用いて、前記基本視点サブタイトルデータが前記付加視点サブタイトルデータの位置に配されるように前記付加視点ビデオデータと合成する段階と、をさらに含むことを特徴とする請求項９に記載のビデオデータストリーム受信方法。
【請求項１１】
前記現在３Ｄサブタイトルタイプが第２サブタイトルタイプであるかどうかを定める段階と、
前記基本視点サブタイトルデータを前記基本視点ビデオデータと合成する段階と、
前記３Ｄサブタイトル再生情報のうち前記付加視点サブタイトルデータのページ識別情報に基づいて、前記基本視点サブタイトルデータに対応する前記付加視点サブタイトルデータを検出し、前記付加視点サブタイトルデータを前記付加視点ビデオデータと合成する段階と、をさらに含むことを特徴とする請求項１０に記載のビデオデータストリーム受信方法。
【請求項１２】
デジタル放送サービスを提供するためのビデオデータストリームを伝送する装置において、
ビデオデータが再生されて構成するビデオ画面上で３Ｄサブタイトルを再生するために、基本視点サブタイトルデータ及び付加視点サブタイトルデータを含むサブタイトルストリームを生成するサブタイトルストリーム生成部と、
ビデオ再生機器が、前記基本視点サブタイトルデータに基づいて前記ビデオ画面上で３Ｄサブタイトルを構成するための３Ｄサブタイトル再生情報を定める３Ｄサブタイトル再生情報決定部と、
前記ビデオデータ、前記３Ｄサブタイトル再生情報、及び前記サブタイトルストリームを含むビデオストリームを多重化してデータストリームを出力する出力部と、を備え、
前記３Ｄサブタイトル再生情報は、前記３Ｄサブタイトルの形態を示す３Ｄサブタイトルタイプ情報を含み、
前記３Ｄサブタイトル再生情報は、第１サブタイトルタイプと第２サブタイトルタイプのうち再生優先権を示す情報を含む、
ことを特徴とするビデオデータストリーム伝送装置。
【請求項１３】
デジタル放送サービスを提供するビデオデータストリームを受信する装置において、
受信されたＴＳパッケージを逆多重化してビデオデータ、３Ｄサブタイトル再生情報、及び３Ｄサブタイトル再生情報を含むビデオストリームを抽出する受信部と、
前記ビデオストリームから、３Ｄビデオの基本視点ビデオデータ及び付加視点ビデオデータを抽出するビデオデータ抽出部と、
サブタイトルストリームから、前記ビデオデータが再生されて構成されるビデオ画面上でサブタイトルが３次元に再生されるように、基本視点サブタイトルデータ及び付加視点サブタイトルデータを抽出するサブタイトルデータ抽出部と、を備え、
前記３Ｄサブタイトル再生情報は、前記３Ｄサブタイトルの形態を示す３Ｄサブタイトルタイプ情報を含み、
前記３Ｄサブタイトル再生情報は、第１サブタイトルタイプと第２サブタイトルタイプのうち再生優先権を示す情報を含む、
ことを特徴とするビデオデータストリーム受信装置。
【請求項１４】
請求項１に記載のビデオデータストリーム伝送方法を具現するためのコンピュータプログラムを収録するコンピュータで読み取り可能な記録媒体。
【請求項１５】
請求項５に記載のビデオデータストリーム受信方法を具現するためのコンピュータプログラムを収録するコンピュータで読み取り可能な記録媒体。
【発明の詳細な説明】
【技術分野】
【０００１】
本発明は、デジタル放送サービスを提供するための放送ストリームの伝送及び受信に係り、さらに具体的には、３Ｄサブタイトルをビデオ画面上で再性するためのサブタイトルデータを含む放送ストリームの伝送及び受信に関する。
【背景技術】
【０００２】
デジタル放送システムは、放送プログラムを通じてビデオコンテンツ及びオーディオコンテンツを提供しつつ、ビデオ画面上に表示されるための字幕サービスも提供する。
【０００３】
デジタル放送サービスを提供する放送ストリームを受信するデジタル放送受信機は、伝送されてきたビデオデータを復号化してビデオコンテンツを復元して再生する。また、デジタル放送受信機は、放送ストリームを通じてビデオデータと共に受信された字幕データを用いて字幕を生成し、ビデオコンテンツと字幕とを合成することで、字幕が表示されたビデオ画面を再生できる。
【０００４】
リアリティー及び立体感を伴う３Ｄコンテンツへの要求が増大しつつある。３次元に再生されるように製作された放送用コンテンツまたはプログラムも登場している。３Ｄビデオを支援するデジタル放送受信システムは、３Ｄ放送用コンテンツを受信して３Ｄビデオを再生できる。３Ｄビデオ放送コンテンツの普及によって放送コンテンツの再生方式が変化するにつれて、放送受信システムの付加的な機能の変化も要求されつつある。
【発明の概要】
【発明が解決しようとする課題】
【０００５】
本発明は、３Ｄビデオデータを伝送するビデオデータストリームを通じて、３Ｄサブタイトルを構成する基本視点サブタイトルデータと付加視点サブタイトルデータとを共に送受信し、サブタイトルを３次元に再生するための３Ｄサブタイトル再生情報を送受信するデジタル放送サービス伝送方法とその装置、そしてデジタル放送サービス受信方法とその装置を開示する。
【課題を解決するための手段】
【０００６】
本発明の一実施形態によってデジタル放送サービスを提供するためのビデオデータストリームを伝送する方法は、前記ビデオデータが再生されて構成するビデオ画面上で３Ｄサブタイトルを再生するために、基本視点サブタイトルデータ及び付加視点サブタイトルデータを含むサブタイトルストリームを生成する段階と、前記基本視点サブタイトルデータに基づいて、前記ビデオ画面上で３Ｄサブタイトルを構成するための３Ｄサブタイトル再生情報を定める段階と、前記ビデオデータ、前記３Ｄサブタイトル再生情報、及び前記サブタイトルストリームを含むビデオストリームを多重化してデータストリームを出力する段階と、を含む。
【図面の簡単な説明】
【０００７】
【図１】一実施形態によるビデオデータストリーム伝送装置のブロック図である。
【図２】一実施形態によるビデオデータストリーム受信装置のブロック図である。
【図３】ＰＭＴ（Ｐｒｏｇｒａｍ  Ｍａｐ  Ｔａｂｌｅ  Ｓｅｃｔｉｏｎ）セクションのシンタックス及び、サブタイトルの一般的な再生のためのサブタイトル記述子のシンタックスを示す図面である。
【図４】サブタイトル記述子とサブタイトルデータとの連関関係を示す２つの実施形態を示す図面である。
【図５】サブタイトル記述子とサブタイトルデータとの連関関係を示す２つの実施形態を示す図面である。
【図６】サブタイトルセグメントのシンタックス及びセグメントタイプ情報のシメンティックを示す図面である。
【図７】一実施形態による３Ｄサブタイトル再生情報を含む３Ｄサブタイトル記述子のシンタックス、及び３Ｄサブタイトル再生情報のシメンティックを示す。
【図８】一実施形態によって基本視点サブタイトルデータと、基本視点サブタイトルと付加視点サブタイトルとの間隔に関する情報とを用いて構成される３Ｄサブタイトルを例示する図面である。
【図９】一実施形態によって視点別にサブタイトルデータを含み、視点別サブタイトルデータに関する３Ｄサブタイトル再生情報を含むデータストリームの構造を示す図面である。
【図１０】一実施形態によるビデオデータストリーム伝送方法のフローチャートである。
【図１１】一実施形態によるビデオデータストリーム受信方法のフローチャートである。
【発明を実施するための形態】
【０００８】
本発明の一実施形態によってデジタル放送サービスを提供するためのビデオデータストリームを伝送する方法は、前記ビデオデータが再生されて構成するビデオ画面上で３Ｄサブタイトルを再生するために、基本視点サブタイトルデータ及び付加視点サブタイトルデータを含むサブタイトルストリームを生成する段階と、前記基本視点サブタイトルデータに基づいて、前記ビデオ画面上で３Ｄサブタイトルを構成するための３Ｄサブタイトル再生情報を定める段階と、前記ビデオデータ、前記３Ｄサブタイトル再生情報、及び前記サブタイトルストリームを含むビデオストリームを多重化してデータストリームを出力する段階と、を含む。
【０００９】
本発明の一実施形態による前記３Ｄサブタイトル再生情報は、前記基本視点サブタイトルデータのページ識別情報、及び前記基本視点サブタイトルデータに基づいて前記３Ｄサブタイトルを構成するために使われるサブタイトルの形態を示す３Ｄサブタイトルタイプ情報を含む。一実施形態による前記３Ｄサブタイトル再生情報は、前記基本視点サブタイトルデータと対応して、共に３Ｄサブタイトルを構成する付加視点サブタイトルデータのページ識別情報、及び前記ビデオ画面上で基本視点サブタイトルと付加視点サブタイトルとの間隔に関する情報のうち少なくとも一つをさらに含む。
【００１０】
本発明の一実施形態によってデジタル放送サービスを提供するビデオデータストリームを受信する方法は、データストリームを逆多重化してビデオデータ、３Ｄサブタイトル再生情報、サブタイトルストリームを抽出する段階と、前記ビデオストリームから３Ｄビデオの基本視点ビデオデータ及び付加視点ビデオデータを抽出する段階と、前記サブタイトルストリームから、前記ビデオデータが再生されて構成するビデオ画面上で３Ｄサブタイトルを再生するために、基本視点サブタイトルデータ及び付加視点サブタイトルデータを抽出する段階と、を含む。
【００１１】
一実施形態による前記ビデオデータストリーム受信方法は、前記基本視点サブタイトルデータ及び前記３Ｄサブタイトル再生情報に基づいて、前記基本視点ビデオデータと前記付加視点ビデオデータと前記３Ｄサブタイトルとを合成して再生する段階をさらに含む。
【００１２】
本発明の一実施形態によってデジタル放送サービスを提供するためのビデオデータストリームを伝送する装置は、前記ビデオデータが再生されて構成するビデオ画面上で３Ｄサブタイトルを再生するために、基本視点サブタイトルデータ及び付加視点サブタイトルデータを含むサブタイトルストリームを生成するサブタイトルストリーム生成部と、ビデオ再生機器が、前記基本視点サブタイトルデータに基づいて前記ビデオ画面上で３Ｄサブタイトルを構成するための３Ｄサブタイトル再生情報を定める３Ｄサブタイトル再生情報決定部と、前記ビデオデータ、前記３Ｄサブタイトル再生情報及び前記サブタイトルストリームを含むビデオストリームを多重化してデータストリームを出力する出力部と、を備える。
【００１３】
本発明の一実施形態によってデジタル放送サービスを提供するビデオデータストリームを受信する装置は、受信されたデータストリームを逆多重化して、ビデオデータ、及び３Ｄサブタイトル再生情報を含むビデオストリームを抽出する受信部と、前記ビデオストリームから、３Ｄビデオの基本視点ビデオデータ及び付加視点ビデオデータを抽出するビデオデータ抽出部と、前記サブタイトルストリームから、ビデオディスプレイを通じて前記ビデオデータが再生されて構成されるビデオ画面上で３Ｄサブタイトルが再生されるように、基本視点サブタイトルデータ及び付加視点サブタイトルデータを抽出するサブタイトルデータ抽出部と、を備える。
【００１４】
一実施形態による前記ビデオデータストリーム受信装置は、前記基本視点サブタイトルデータ及び前記３Ｄサブタイトル再生情報に基づいて、前記基本視点ビデオデータと前記付加視点ビデオデータと前記３Ｄサブタイトルとを合成して再生する再生部をさらに備える。
【００１５】
本発明は、一実施形態によるビデオデータストリーム伝送方法を具現するためのコンピュータプログラムを収録するコンピュータで読み取り可能な記録媒体を含む。本発明は、一実施形態によるビデオデータストリーム受信方法を具現するためのコンピュータプログラムを収録するコンピュータで読み取り可能な記録媒体を含む。
【００１６】
以下、図１ないし図１１を参照して、本発明の一実施形態によってサブタイトルを３次元に再生するために、サブタイトルデータの３次元再生のために必要な付加情報を提供するビデオデータストリーム伝送方法及びその装置が開示される。また、受信されたデータストリームによってビデオデータと共に提供されたサブタイトルデータ及びサブタイトルの３次元再生のための付加情報を用いて、サブタイトルを３次元に再生するビデオデータストリーム受信方法及びその装置が開示される。但し、後述する実施形態によって本発明の思想が限定されて解釈されてはならない。
【００１７】
図１は、一実施形態によるビデオデータストリーム伝送装置のブロック図である。本発明の一実施形態によるビデオデータストリーム伝送装置１００は、サブタイトルストリーム生成部１１０、３Ｄサブタイトル再生情報決定部１２０及び出力部１３０を備える。
【００１８】
一実施形態によるビデオデータストリーム伝送装置１００の構成要素１１０、１２０、１３０のうち少なくとも一つは、自体プロセッサーや制御装置を用いて作動するか、または一実施形態によるビデオデータストリーム伝送装置１００に搭載されるか、または外部に連動する中央プロセッサーまたは中央制御装置によって作動する。
【００１９】
一実施形態によるビデオデータストリーム伝送装置１００は、デジタル放送サービスを提供するために、ビデオデータ、オーディオデータ及び付加データなどを含む放送ストリームを伝送する。一実施形態によるビデオデータストリーム伝送装置１００は、３Ｄビデオサービスを提供するデジタル放送サービスを提供するために、３Ｄビデオデータを含むビデオデータストリームを放送ストリームとして伝送できる。
【００２０】
一実施形態によるビデオデータストリーム伝送装置１００は、デジタル放送規格方式であるＤＶＢ（Ｄｉｇｉｔａｌ  Ｖｉｄｅｏ  Ｂｒｏａｄｃａｓｔｉｎｇ）方式によるビデオデータストリームを生成して出力する。一実施形態によるビデオデータストリーム伝送装置１００は、ＤＶＢ方式が採択する字幕形式であるサブタイトル（Ｓｕｂｔｉｔｌｅ）を用いて字幕サービスを提供する。
【００２１】
ビデオ画面上でテキスト、ロゴ、その他のグラフィック要素が再生される字幕サービスを提供するために、一実施形態によるビデオデータストリーム伝送装置１００は、テキスト、ロゴ、その他のグラフィック客体とサブタイトル構成要素とがコード化されたサブタイトルデータを伝送する。
【００２２】
一実施形態によるビデオデータストリーム伝送装置１００は、サブタイトルデータを含むサブタイトルストリームを伝送する。サブタイトルストリームは、基礎ストリームまたは伝送パッケージのデータ領域でありうる。
【００２３】
所定サブタイトルサービスを構成するサブタイトル客体の組み合わせ単位として、ページが使われる。一つのサブタイトルページは一つ以上の領域で構成され、それぞれの領域は客体が位置する方形領域でありうる。一つの領域にサブタイトルのテキスト客体、ロゴ客体、その他のグラフィック客体などが位置し、複数の客体を含む。一つのサブタイトルサービスは一つ以上のページに連続ディスプレイされる。
【００２４】
サブタイトルストリームに挿入されたサブタイトルデータは、一つ以上の字幕セグメントに区分される。それぞれのサブタイトルセグメントが含むサブタイトルデータは、サブタイトル客体の客体データだけでなく、領域情報、領域構成及びＣＬＵＴ（Ｃｏｌｏｒ  Ｌｏｏｋ−Ｕｐ  Ｔａｂｌｅ）情報などのサブタイトル構成要素を含む。
【００２５】
一実施形態によるビデオデータストリーム伝送装置１００は、３Ｄビデオ放送サービスを提供して３次元再生されるビデオ画面上で、字幕を３次元に再生する３Ｄ字幕サービスを提供する。
【００２６】
一実施形態によるサブタイトルストリーム生成部１１０は、ビデオデータの再生によって構成されたビデオ画面上で字幕を３次元に再生するために、基本視点サブタイトルデータ及び付加視点サブタイトルデータを含むサブタイトルストリームを生成する。
【００２７】
一実施形態によるサブタイトル再生情報決定部１２０は、ビデオ再生機器が、基本視点サブタイトルデータに基づいてビデオ画面上で３Ｄサブタイトルの構成に必要な付加情報である３Ｄサブタイトル再生情報を定める。
【００２８】
一実施形態によるサブタイトルストリーム生成部１１０は、一つのサブタイトルストリームに基本視点サブタイトルデータ及び付加視点サブタイトルデータをいずれも含むように生成する。またサブタイトルストリーム生成部１１０は、基本視点サブタイトルデータを含む第１サブタイトルストリームと、付加視点サブタイトルデータを含む第２サブタイトルストリームとをそれぞれ生成してもよい。
【００２９】
一実施形態による３Ｄサブタイトルのために、基本視点サブタイトルデータを含む第１サブタイトルページが構成され、付加視点サブタイトルデータを含む第２サブタイトルページが構成される。
【００３０】
一実施形態による３Ｄサブタイトル再生情報は、基本視点サブタイトルデータのページ識別情報を含む。例えば、一実施形態による基本視点サブタイトルデータのページ識別情報は、３Ｄサブタイトルのうち左視点ビデオデータと合成される基本視点サブタイトルデータのページを示し、基本視点サブタイトルデータに対応する。
【００３１】
一実施形態による３Ｄサブタイトル再生情報は、基本視点サブタイトルデータに基づいて３Ｄサブタイトルを構成するために使われる３Ｄサブタイトルの形態を示す３Ｄサブタイトルタイプ情報を含む。例えば、一実施形態による３Ｄサブタイトルタイプ情報は、２つのサブタイトルタイプを示す。第１サブタイトルタイプは、基本視点サブタイトルデータと基本視点サブタイトルと付加視点サブタイトルとの間隔に関する情報を用いて、３Ｄサブタイトルが構成される形態を示す。第２サブタイトルタイプは、基本視点サブタイトルデータ及び付加視点サブタイトルデータを用いて３Ｄサブタイトルが構成される形態を示す。
【００３２】
一実施形態による３Ｄサブタイトル再生情報は、基本視点サブタイトルデータと対応して、共に３Ｄサブタイトルを構成する付加視点サブタイトルデータのページ識別情報、及びビデオ画面上で基本視点サブタイトルと付加視点サブタイトルとの間隔に関する情報のうち少なくとも一つを含む。
【００３３】
一実施形態による基本視点サブタイトルと付加視点サブタイトルとの間隔に関する情報は、基本視点サブタイトルと付加視点サブタイトルとの間隔の方向に関する情報、及び基本視点サブタイトルと付加視点サブタイトルとの位置差に関する情報を含む。一実施形態による基本視点サブタイトルと付加視点サブタイトルとの位置差に関する情報は、デプス差、変異差及びオフセットのうち少なくとも一つを示す。
【００３４】
一実施形態による３Ｄサブタイトル再生情報決定部１２０は、一実施形態による３Ｄサブタイトル再生情報をプログラムマップテーブルセクション（Ｐｒｏｇｒａｍ  Ｍａｐ  Ｔａｂｌｅ  Ｓｅｃｔｉｏｎ、以下、‘ＰＭＴセクション’と略称する。）の記述子領域に挿入する。
【００３５】
３Ｄサブタイトル再生情報決定部１２０は、３Ｄサブタイトル再生情報のうち３Ｄサブタイトルタイプ情報によって、付加視点サブタイトルデータのページ識別情報と、基本視点サブタイトルと付加視点サブタイトルとの間隔に関する情報のうち一つを選択的に３Ｄサブタイトル再生情報に含ませてもよい。
【００３６】
例えば、現在サブタイトルタイプが第１サブタイトルタイプである場合、付加視点サブタイトルデータが別途を検出される必要がないので、３Ｄサブタイトル再生情報のうち、付加視点サブタイトルデータのページ識別情報が省略されてもよい。または、現在サブタイトルタイプが第２サブタイトルタイプである場合、基本視点サブタイトルデータと付加視点サブタイトルデータとが別途に伝送されるので、３Ｄサブタイトル再生情報のうち基本視点サブタイトルと付加視点サブタイトルとの間隔に関する情報が省略されてもよい。
【００３７】
他の実施形態による３Ｄサブタイトル再生情報決定部１２０は、３Ｄサブタイトルタイプ情報と関係なく、３Ｄサブタイトル再生情報が付加視点サブタイトルデータのページ識別情報と、基本視点サブタイトルと付加視点サブタイトルとの間隔に関する情報とをいずれも含む。
【００３８】
一実施形態によるビデオデータストリーム伝送装置１００及びビデオ再生機器は、第１サブタイトルタイプと第２サブタイトルタイプのうち再生優先権を示す明示的情報が送受信されることもある。
【００３９】
例えば、一実施形態によるビデオデータストリーム伝送装置１００が、付加視点サブタイトルデータのページ識別情報と、基本視点サブタイトルと付加視点サブタイトルとの間隔に関する情報のうち、優先権の高い再生情報を指定する優先再生情報を出力してもよい。
【００４０】
または、一実施形態によるビデオデータストリーム伝送装置１００が、付加視点サブタイトルデータのページ識別情報と、基本視点サブタイトルと付加視点サブタイトルとの間隔に関する情報とをいずれも伝送した場合、これを受信したビデオ再生機器により、現在３Ｄサブタイトルタイプ情報に基づいて２つのうち一つが採択されるか、またはビデオ再生機器のケーパビリティーに基づいて２つのうち一つが採択されるように、ビデオデータストリーム伝送装置１００とビデオ再生機器との間に再生優先権のあるサブタイトルタイプを定める方式が予め定められている。
【００４１】
一実施形態による出力部１３０は、３Ｄサブタイトル再生情報をＰＭＴセクションに挿入し、ＰＭＴセクション、サブタイトルストリーム及びビデオストリームを含むＴＳ（Ｔｒａｎｓｐｏｒｔ  Ｓｔｒｅａｍ）パッケージを出力する。
【００４２】
ＰＭＴセクションは、サブタイトルデータを含むＰＥＳパッケージを示すパッケージ識別子（Ｐａｃｋｅｔ  ＩＤｅｎｔｉｆｉｃａｔｏｎ；ＰＩＤ）情報を含む。一つ以上のサブタイトルストリームが伝送されるので、ＰＭＴセクションは、サブタイトルストリームの数によって一つ以上のパッケージ識別情報を含むこともある。
【００４３】
出力部１３０は、サブタイトルストリーム及びビデオストリームをパッケージ化してＰＥＳ（Ｐａｃｋｅｔｉｚｅｄ  Ｅｌｅｍｅｎｔａｒｙ  Ｓｔｒｅａｍ）パッケージを生成し、ＰＥＳパッケージとＰＭＴセクションとを多重化してＴＳパッケージを生成できる。出力部１３０は、所定チャネルを通じてＴＳパッケージを出力することで伝送する。
【００４４】
したがって、一実施形態によるビデオデータストリーム伝送装置１００は、ＤＶＢ方式に基づいた３Ｄビデオサービスと共に３Ｄサブタイトルを構成するために、３Ｄビデオと共に再生される３Ｄサブタイトルを構成するための基本視点サブタイトルデータと、付加視点サブタイトルデータとを別途に伝送できる。また、一実施形態によるビデオデータストリーム伝送装置１００は、基本視点サブタイトルデータに基づいて３Ｄサブタイトルが構成されるように、対応する付加視点サブタイトルデータを示す付加情報を伝送するか、または基本視点サブタイトルとの間隔を示す付加情報を伝送する。
【００４５】
図２は、一実施形態によるビデオデータストリーム受信装置のブロック図である。
本発明の一実施形態によるビデオデータストリーム受信装置２００は、受信部２１０、ビデオデータ抽出部２２０、サブタイトルデータ抽出部２２０、３Ｄサブタイトル再生情報抽出部２３０及び再生部２４０を備える。
【００４６】
一実施形態によるビデオデータストリーム受信装置２００の構成要素２１０、２２０、２３０のうち少なくとも一つは、自体プロセッサーや制御装置を用いて作動するか、または一実施形態によるビデオデータストリーム受信装置２００に搭載されるか、または外部に連動した中央プロセッサーまたは中央制御装置によって作動する。
【００４７】
一実施形態によるビデオデータストリーム受信装置２００は、デジタル放送サービスを提供する放送ストリームを受信して、ビデオデータ、オーディオデータ及び付加データなどを抽出する。一実施形態によるビデオデータストリーム受信装置２００は、抽出されたビデオデータ、オーディオデータ及び付加データなどを用いて放送メディアを再生する。
【００４８】
一実施形態によるビデオデータストリーム受信装置２００は、３Ｄビデオサービスを提供する放送ストリームを受信し、３Ｄビデオデータを抽出して３Ｄビデオを再生する。
【００４９】
一実施形態によるビデオデータストリーム受信装置２００は、ＤＶＢ方式によるビデオデータストリームを受信する。一実施形態によるビデオデータストリーム受信装置２００は、ＤＶＢ方式の字幕サービスのために提供されるサブタイトルを受信する。
【００５０】
一実施形態によるビデオデータストリーム受信装置２００は、テキスト、ロゴ、その他のグラフィック客体とサブタイトル構成要素とがコード化されたサブタイトルデータを受信し、ビデオデータと合成してビデオ画面を構成することで、ビデオ画面上でテキスト、ロゴ、その他グラフィック客体を再生する。
【００５１】
一実施形態によるビデオデータストリーム受信装置２００は、受信された放送ストリームのうちサブタイトルストリームからサブタイトルデータを抽出する。
【００５２】
一実施形態によるビデオデータストリーム受信装置２００は、サブタイトルデータに対するページ単位ごとに、所定サブタイトルサービスを構成するサブタイトル客体の組み合わせを読み取る。一実施形態によるビデオデータストリーム受信装置２００は、サブタイトルページからサブタイトルのテキスト客体、ロゴ客体、その他のグラフィック客体などの客体を検出し、一つ以上の客体領域の位置を検出する。一実施形態によるビデオデータストリーム受信装置２００は、それぞれの客体領域に一つ以上の客体を配置し、それぞれのサブタイトルページに一つ以上の客体領域を配置する。
【００５３】
一実施形態によるビデオデータストリーム受信装置２００は、一つ以上のページを用いて連続するページに一つのサブタイトルサービスを再生する。
【００５４】
一実施形態によるビデオデータストリーム受信装置２００は、サブタイトルストリームから、一つ以上の字幕セグメントに区分されたサブタイトルデータを読み取る。それぞれのサブタイトルセグメントから、サブタイトル客体の客体データと領域情報、領域構成及びＣＬＵＴ情報などのサブタイトル要素が抽出される。
【００５５】
一実施形態によるビデオデータストリーム受信装置２００は、３Ｄビデオ放送サービスのための放送ストリームを受信して、３Ｄビデオが再生されるビデオ画面上で３Ｄ字幕サービスを具現しようとする。
【００５６】
一実施形態による受信部２１０は、３Ｄビデオ放送サービスのための放送ストリームのＴＳパッケージを受信する。一実施形態による受信部２１０は、ＴＳパッケージを逆多重化してＰＭＴセクション、サブタイトルストリームとビデオデータを含むビデオストリームとを抽出する。
【００５７】
一実施形態によるビデオデータ抽出部２２０は、ビデオストリームから、３Ｄビデオの基本視点ビデオデータ及び付加視点ビデオデータを抽出する。
【００５８】
一実施形態によるサブタイトルデータ抽出部２３０は、サブタイトルストリームから、３Ｄサブタイトルを構成するための基本視点サブタイトルデータ及び付加視点サブタイトルデータを抽出する。基本視点サブタイトルデータ及び付加視点サブタイトルデータに基づいて３Ｄサブタイトルが構成され、これを用いて３Ｄビデオが再生されるビデオ画面上で３Ｄサブタイトルが再生される。
【００５９】
サブタイトルストリームは、基礎ストリームまたはＰＥＳパッケージのデータ領域のビットストリーム形式に受信される。したがって、ＰＥＳパッケージデータまたは基礎ストリームからサブタイトルデータが抽出される。
【００６０】
一実施形態による３Ｄサブタイトル再生情報抽出部２４０は、ＰＭＴセクションから、基本視点サブタイトルデータに基づいて、ビデオ画面上で３Ｄサブタイトルを構成するための３Ｄサブタイトル再生情報を抽出する。
【００６１】
一実施形態による受信部２００は、所定チャネルを通じてＴＳパッケージたちを受信し、受信されたＴＳパッケージを逆多重化して、ＰＥＳパッケージとプログラムマップテイトルセクションとを再構成する。
【００６２】
ＰＭＴセクションは、ビデオデータを含むビデオストリームのＰＥＳパッケージ、サブタイトルデータを含むサブタイトルストリームのＰＥＳパッケージを示すパッケージ識別情報を含む。
【００６３】
一実施形態によるビデオデータ抽出部２２０は、ＰＭＴセクションのパッケージ識別情報に基づいて、ビデオストリームを含むＰＥＳパッケージを検出してビデオストリームを再構成する。
【００６４】
一実施形態によるサブタイトルデータ抽出部２３０は、ＰＭＴセクションのパッケージ識別情報に基づいて、サブタイトルストリームを含むＰＥＳパッケージを検出してサブタイトルストリームを再構成する。
【００６５】
一実施形態による３Ｄサブタイトル再生情報抽出部２４０は、ＰＭＴセクションから一実施形態による３Ｄサブタイトル再生情報を抽出する。
【００６６】
一実施形態による再生部２５０は、基本視点サブタイトルデータ及び３Ｄサブタイトル再生情報に基づいて、基本視点ビデオデータと付加視点ビデオデータと３Ｄサブタイトルとを合成して再生する。
【００６７】
一実施形態による再生部２５０は、基本視点サブタイトルデータに基づいて、基本視点サブタイトル客体を表示するための第１ページを構成し、付加視点サブタイトルデータに基づいて、付加視点サブタイトル客体を表示するための第２ページを別途に構成する。
【００６８】
一実施形態によるサブタイトルデータ抽出部２３０は、一つのサブタイトルストリームから、基本視点サブタイトルデータ及び付加視点サブタイトルデータをいずれも抽出する。または、一実施形態によるサブタイトルデータ抽出部２３０は、第１サブタイトルストリームから、第１ページによって識別される基本視点サブタイトルデータを抽出し、第２サブタイトルストリームから、第２ページによって識別される付加視点サブタイトルデータを抽出することもある。
【００６９】
一実施形態による３Ｄサブタイトル再生情報抽出部２４０は、３Ｄサブタイトル再生情報から、基本視点サブタイトルデータのページ識別情報を抽出する。一実施形態による３Ｄサブタイトル再生情報抽出部２４０は、基本視点サブタイトルデータのページ識別情報に基づいて、受信されたストリームのうちＰＥＳパッケージまたはサブタイトルストリームから、基本視点サブタイトルデータを検出する。
【００７０】
一実施形態による３Ｄサブタイトル再生情報抽出部２４０は、３Ｄサブタイトル再生情報から３Ｄサブタイトルタイプ情報を抽出する。一実施形態による３Ｄサブタイトル再生情報抽出部２４０は、３Ｄサブタイトルタイプ情報に基づいて、基本視点サブタイトルデータに基づいて３Ｄサブタイトルを構成する形態を定める。
【００７１】
一実施形態による３Ｄサブタイトルタイプ情報は、前記の一実施形態によるビデオデータストリーム伝送装置１００から伝送された３Ｄサブタイトルタイプ情報に相当する。したがって、一実施形態による３Ｄサブタイトル再生情報抽出部２４０は、３Ｄサブタイトルタイプ情報に基づいて、現在３Ｄサブタイトルが第１サブタイトルタイプ及び第２サブタイトルタイプのうち一つであると定める。
【００７２】
一実施形態による３Ｄサブタイトル再生情報抽出部２４０は、３Ｄサブタイトル再生情報から基本視点サブタイトルデータを抽出する。また、一実施形態による３Ｄサブタイトル再生情報抽出部２４０は、３Ｄサブタイトルを構成するために、基本視点サブタイトルに対応する付加視点サブタイトルを定めるための付加情報を抽出する。
【００７３】
一実施形態による３Ｄサブタイトル再生情報抽出部２４０は、付加視点サブタイトルを定めるための付加情報として、基本視点サブタイトルデータと対応する付加視点サブタイトルデータのページ識別情報、及びビデオ画面上で基本視点サブタイトルと付加視点サブタイトルとの間隔に関する情報のうち少なくとも一つを検出する。
【００７４】
一実施形態による３Ｄサブタイトル再生情報抽出部２４０は、基本視点サブタイトルと付加視点サブタイトルとの間隔に関する情報から、基本視点サブタイトルと付加視点サブタイトルとの間隔の方向情報、及び基本視点サブタイトルと付加視点サブタイトルとのデプス差、変異差及びオフセットのうち少なくとも一つを示す位置差に関する情報を検出する。
【００７５】
一実施形態による３Ｄサブタイトル再生情報抽出部２４０は、３Ｄサブタイトルタイプ情報に基づいて、付加視点サブタイトルデータのページ識別情報及び視点別サブタイトルデータ間の間隔に関する情報のうち一つのみを選択的に抽出してもよい。
【００７６】
例えば、一実施形態による３Ｄサブタイトル再生情報抽出部２４０は、３Ｄサブタイトルタイプ情報に基づいて、現在３Ｄサブタイトルが第１サブタイトルタイプであると読み取られれば、３Ｄサブタイトル再生情報から、基本視点サブタイトルと付加視点サブタイトルとの間隔に関する情報を選択的に抽出する。
【００７７】
３Ｄサブタイトルタイプ情報に基づいて、現在３Ｄサブタイトルが第２サブタイトルタイプであると読み取られれば、一実施形態による３Ｄサブタイトル再生情報抽出部２４０は、３Ｄサブタイトル再生情報から付加視点サブタイトルデータのページ識別情報を抽出する。
【００７８】
一実施形態による３Ｄサブタイトル再生情報抽出部２４０は、３Ｄサブタイトル再生情報から、付加視点サブタイトルデータのページ識別情報及び視点別サブタイトルデータ間の間隔に関する情報をいずれも検出する。
【００７９】
一実施形態によるビデオデータストリーム伝送装置１００と一実施形態によるビデオデータストリーム受信装置２００との間に、第１サブタイトルタイプ及び第２サブタイトルタイプがいずれも具現できる場合、優先的に採択されるサブタイトルタイプを指定する再生優先権情報を送受信できる。
【００８０】
または、一実施形態によるビデオデータストリーム伝送装置１００と一実施形態によるビデオデータストリーム受信装置２００との間には、優先的に採択されるサブタイトルタイプが予め指定されている。または、一実施形態によるビデオデータストリーム受信装置２００のビデオケーパビリティーに基づいて、所定サブタイトルタイプを優先的に採択してもよい。
【００８１】
一実施形態による３Ｄサブタイトル再生情報抽出部２４０は、３Ｄサブタイトル再生情報から優先的に採択されるサブタイトルタイプに相応する付加情報を抽出し、これに基づいて付加視点サブタイトルデータを定めてもよい。
【００８２】
一実施形態による３Ｄサブタイトル再生情報抽出部２４０は、ＰＭＴセクションから、一実施形態による３Ｄサブタイトル再生情報を検出する。一実施形態による３Ｄサブタイトル再生情報抽出部２４０は、ＰＭＴセクションの記述子領域から、一実施形態による３Ｄサブタイトル記述子を抽出し、３Ｄサブタイトル記述子から、基本視点サブタイトルデータのページ識別情報、サブタイトルタイプ情報、付加視点サブタイトルを定めるための付加情報などを検出してもよい。
【００８３】
一実施形態による再生部２５０は、基本視点サブタイトルデータを基本視点ビデオデータと合成して基本視点ビデオ画面を構成し、付加視点サブタイトルデータを付加視点ビデオデータと合成して付加視点ビデオ画面を構成する。
【００８４】
特に、一実施形態による再生部２５０は、３Ｄサブタイトル再生情報に基づいて定められた付加視点サブタイトルデータを検出して、付加視点ビデオデータと合成する。
【００８５】
例えば、３Ｄサブタイトル再生情報抽出部２４０が、３Ｄサブタイトルタイプに基づいて現在３Ｄサブタイトルが第１サブタイトルタイプであると定めた場合、一実施形態による再生部２５０は、３Ｄサブタイトル再生情報のうち、基本視点サブタイトルと付加視点サブタイトルとの間隔に関する情報を用いて、付加視点サブタイトルデータの位置を定める。一実施形態による再生部２５０は、付加視点ビデオ画面上の付加視点サブタイトルデータの位置に基本視点サブタイトルデータを配置することで、付加視点サブタイトルが合成された付加視点ビデオ画面を構成する。
【００８６】
例えば、３Ｄサブタイトル再生情報抽出部２４０が、３Ｄサブタイトルタイプに基づいて現在３Ｄサブタイトルが第２サブタイトルタイプであると定めた場合、一実施形態による再生部２５０は、３Ｄサブタイトル再生情報のうち付加視点サブタイトルデータのページ識別情報に基づいて、基礎時点サブタイトルデータに対応する付加視点サブタイトルデータを定めて抽出する。一実施形態による再生部２５０は、抽出された付加視点サブタイトルデータを付加視点ビデオデータと合成して付加視点ビデオ画面を構成する。
【００８７】
一実施形態による再生部２５０は、基本視点サブタイトルが合成された基本視点ビデオ画面と、付加視点サブタイトルが合成された付加視点ビデオ画面とを交互に再生することで、３Ｄ字幕サービスを提供する３Ｄビデオサービスを具現する。
【００８８】
したがって、一実施形態によるビデオデータストリーム受信装置２００は、ＤＶＢ方式に基づいた３Ｄビデオサービスを提供する放送ストリームを受信して、３Ｄビデオデータと共に３Ｄサブタイトルを構成するための基本視点サブタイトルデータと付加視点サブタイトルデータとを別途に受信する。
【００８９】
また、一実施形態によるビデオデータストリーム受信装置２００は、基本視点サブタイトルデータに対応する付加視点サブタイトルデータを示す付加情報を受信するか、または、基本視点サブタイトルとの間隔を示す付加情報を受信して、相応する基本視点サブタイトルデータと付加視点サブタイトルデータとを定める。
【００９０】
一実施形態によるビデオデータストリーム受信装置２００は、３Ｄビデオを再生するための基本視点ビデオデータと基本視点サブタイトルデータとを合成し、付加視点ビデオデータと付加視点サブタイトルデータとを合成して、３Ｄビデオを再生しつつ３Ｄ字幕を再生する。
【００９１】
以下、図３ないし図９を参照して、一実施形態による３Ｄサブタイトルデータを含むデータ構造、及び一実施形態による３Ｄサブタイトル再生情報のシンタックスが詳述される。
【００９２】
ＤＶＢサブタイトルストリームの基本的なデータブロックは、サブタイトルセグメントである。サブタイトルセグメントはＰＥＳパッケージを通じて伝達され、ＰＥＳパッケージはＴＳパッケージを通じて伝達される。一つのＰＥＳパッケージを通じて伝達されるセグメントの数は、ＰＥＳパッケージの最大長さによってで制限される。
【００９３】
サブタイトルストリームは、同じパッケージ識別情報（ＰＩＤ）によって識別される伝送パッケージを通じて伝送される。
【００９４】
一つのサブタイトルストリームは、複数のサブタイトルサービスを含むが、それぞれのサブタイトルサービスに必要なあらゆるサブタイトルデータは、一つのサブタイトルストリームを通じて伝達される。
【００９５】
一つのサブタイトルストリームを通じて伝達する多くのサブタイトルサービスは、一つのプログラムに対するそれぞれ異なる言語のサブタイトルサービスになってもよく、それぞれ異なるプログラムに対するサブタイトルサービスになってもよい。
【００９６】
サブタイトルページは、サブタイトルセグメントを含む。サブタイトルストリーム内のそれぞれセグメントに対してページ識別情報が割り当てられる。それぞれのセグメントは、一つのサブタイトルサービスに対して所定データを含んでいるか、または一つ以上のサブタイトルサービスが共有するデータを含む。
【００９７】
これによって、サブタイトルのページは、構成ページ（ｃｏｍｐｏｓｉｔｉｏｎ  ｐａｇｅ）と補助ページ（ａｎｃｉｌｌａｒｙ  ｐａｇｅ）とに分類される。構成ページは、該サブタイトルサービスに対するサブタイトルデータを含むサブタイトルセグメントに対応する。補助ページは、現在サブタイトルストリームに含まれたサブタイトルサービスの共有データを含むサブタイトルセグメントに対応する。
【００９８】
ＰＭＴセクションの記述子領域は、サブタイトル記述子を含む。それぞれのサブタイトルサービスに対するサブタイトル記述子は、該サブタイトルサービスのデコーディングに必要なサブタイトルセグメントのページ識別情報を伝送する。サブタイトル記述子のページ識別情報は、サブタイトルストリームによって伝達するサブタイトルデータのページ識別情報と連動する。
【００９９】
サブタイトル記述子は、それぞれのサブタイトルサービスに対する構成ページの識別情報‘ｃｏｍｐｏｓｉｔｉｏｎ−ｐａｇｅ＿ｉｄ’と、補助ページの識別情報‘ａｎｃｉｌｌａｒｙ−ｐａｇｅ＿ｉｄ’とを伝送する。例えば、補助ページ識別情報を用いて、多様な言語になっている字幕に共通的なロゴを伝達するセグメントデータが伝送されてもよい。
【０１００】
また、サブタイトルセグメントは、収録されたサブタイトルサービスのサブタイトルデータによって、解像度セグメント、ページ構成セグメント、領域構成セグメント、ＣＬＵＴ定義セグメント、客体データセグメント、ディスプレイセットセグメント終了などに分類される。
【０１０１】
すなわち、サブタイトルセグメントを用いて、該サブタイトルサービスの解像度情報、該サブタイトルページを構成する一つ以上の領域のリスト、領域の空間的位置、該サブタイトルページに関する一部タイムアウト情報及びページ状態などを含むサブタイトルページの構成情報、領域に対する領域構成に関する情報と、領域の横／縦サイズ、背景色相、デプスなどのＣＬＵＴが使われる領域属性に関する情報、領域内に含まれる客体のリスト及び客体位置に関する情報、所定ＣＬＵＴに関する情報、グラフィック客体またはテキスト客体に関する情報、サブタイトルセグメントの終了を知らせる情報などが送受信される。
【０１０２】
先ず、図３ないし図６を参照して、ＤＶＢサブタイトルを伝送するデータ構造及びサブタイトルに関する情報を収録するＰＭＴセクションのシンタックスが説明される。
【０１０３】
図３は、ＰＭＴセクションのシンタックス及び、サブタイトルの一般的な再生のためのサブタイトル記述子のシンタックスを示す。
【０１０４】
一実施形態によるビデオデータストリーム伝送装置１００は、放送サービスを通じて提供されるビデオ、オーディオ及び付加情報を放送ストリームを通じて伝送するために、ビデオデータ、オーディオデータ及び付加データを含むストリームをパッケージ化し、多重化して生成されたＴＳパッケージを伝送する。
【０１０５】
ＤＶＢ方式によるＰＭＴセクション３００は、現在放送ストリームに含まれたビデオストリーム、オーディオストリーム及びその他ストリームに関する情報を収録する。一実施形態によるビデオデータストリーム伝送装置１００は、ＰＭＴセクション３００をＰＥＳパッケージと共に多重化して、デジタル放送サービスを提供するためのＴＳパッケージを生成する。
【０１０６】
ＤＶＢ方式による字幕サービスのために、その他のストリームのうち、サブタイトルストリームに客体データ及び領域情報などのサブタイトル要素が含まれて伝送される。ＤＶＢ方式によるＰＭＴセクション３００は、サブタイトルストリームに関する情報を含む。
【０１０７】
例えば、ＰＭＴセクション３００のうちｆｏｒ文３１０を通じて、それぞれのストリームの情報が伝送される。‘ｓｔｒｅａｍ＿ｔｙｐｅ’フィールド３２０は、所定ストリームのストリームタイプ情報を示す。
【０１０８】
例えば、基礎ストリーム識別子‘ｅｌｅｍｅｎｔａｒｙ＿ＰＩＤ’が示す現在基礎ストリームがサブタイトルストリームならば、‘ｓｔｒｅａｍ＿ｔｙｐｅ’フィールド３２０値は‘０×０６’であり、‘ｄｅｓｃｒｉｐｔｏｒ（）’領域３３０は、現在サブタイトルストリームに関する情報を含む‘ｓｕｂｔｉｔｌｉｎｇ＿ｄｅｓｃｒｉｐｔｏｒ（）’記述子３４０を含む。
【０１０９】
‘ｓｕｂｔｉｔｌｉｎｇ＿ｄｅｓｃｒｉｐｔｏｒ（）’記述子３４０のｆｏｒ文３５０を通じて、現在サブタイトルストリームに含まれた一つ以上のサブタイトルサービスに対して、サブタイトルサービス別に情報が伝送される。
【０１１０】
‘ＩＳＯ＿６３９＿ｌａｎｇｕａｇｅ＿ｃｏｄｅ’フィールド３６０は、現在サブタイトルサービスによって提供される字幕の言語コードを示す。‘ａｎｃｉｌｌａｒｙ＿ｐａｇｅ＿ｉｄ’フィールド３８０は、現在サブタイトルサービスだけでなく、現在サブタイトルストリームを通じて提供されるサブタイトルサービスのための共用情報を収録する補助ページを示す識別情報を示す。
【０１１１】
一つのサブタイトルサービスは、一つのサブタイトルページに対応する。‘ｃｏｍｐｏｓｉｔｉｏｎ＿ｐａｇｅ＿ｉｄ’フィールド３７０は、現在サブタイトルサービスに対する構成ページ識別情報を示し、現在サブタイトルサービスを提供するための所定サブタイトルデータをシグナリングする。したがって、‘ｃｏｍｐｏｓｉｔｉｏｎ＿ｐａｇｅ＿ｉｄ’フィールド３７０に基づいて、現在サブタイトルストリームに含まれた一つ以上のサブタイトルデータが区別される。
【０１１２】
サブタイトルストリームに含まれたサブタイトルデータは、ページ形式に収録され、固有のページ識別情報に基づいて区別される。例えば、一実施形態によるビデオデータストリーム受信装置２００は、サブタイトルストリームのサブタイトルデータのうち、ＰＭＴセクション３００の‘ｃｏｍｐｏｓｉｔｉｏｎ＿ｐａｇｅ＿ｉｄ’フィールド３７０の構成ページ識別情報と一致するページ識別情報を持つサブタイトルデータを検出し、サブタイトルを構成して再生する。
【０１１３】
図４及び図５は、サブタイトル記述子とサブタイトルデータとの連関関係を示す２つの実施形態を示す。
【０１１４】
ＰＭＴセクション４１０は、サブタイトルストリームに対するサブタイトル関連情報を含むサブタイトル記述子を含む。ＰＭＴセクション４１０のうちサブタイトル記述子４２０は、同じサブタイトルストリームに含まれている一つ以上のサブタイトルサービスに関する情報を含んでいる。
【０１１５】
ＰＭＴセクション４１０のうちサブタイトル記述子４２０によれば、ストリーム識別情報‘ＰＩＤ’値がＸであるＰＥＳパッケージ４５０によってサブタイトルデータが伝送される。またサブタイトル記述子４２０は、サブタイトルページ別にソブタイブルサービスに関する情報４３０、４４０を含む。
【０１１６】
サブタイトル記述子４２０は、サブタイトルサービス別に字幕言語情報‘ｌａｎｇｕａｇｅ’、構成ページ識別情報‘ｃｏｍｐｏｓｉｔｉｏｎ−ｐａｇｅ＿ｉｄ’及び補助ページ識別情報‘ａｎｃｉｌｌａｒｙ−ｐａｇｅ＿ｉｄ’を含む。
【０１１７】
したがって、一実施形態によるビデオデータストリーム受信装置２００は、ＰＭＴセクション４１０のうちサブタイトル記述子４２０を用いて、受信されたデータストリームからストリーム識別情報値がＸであるＰＥＳパッケージ４５０を検出して、サブタイトルストリームを抽出する。
【０１１８】
また、一実施形態によるビデオデータストリーム受信装置２００は、ＰＭＴセクション４１０のうちサブタイトル記述子４２０を用いて、字幕言語が‘ｓｐａｎｉｓｈ’であり、かつ構成ページ識別情報値が１である構成ページが含む第１サブタイトルデータ４６０を検出するか、または字幕言語が‘ｉｔａｌｉａｎ’であり、かつサブタイトルページ識別情報値が２である第２サブタイトルデータ４７０を検出する。
【０１１９】
また、一実施形態によるビデオデータストリーム受信装置２００は、サブタイトル記述子４２０のうち補助ページ識別情報に基づいて、ページ識別情報値が３であり、かつ同じサブタイトルストリーム内のサブタイトルサービスの共用情報を含む補助ページ４８０を検出する。
【０１２０】
ＰＭＴセクション５１０のうちサブタイトル記述子５２０、５３０は、それぞれ互いに異なるサブタイトルストリームに含まれているサブタイトルサービスに関する情報を含んでいる。ＰＭＴセクション５１０は、互いに異なるストリーム識別情報Ｘ、Ｙをそれぞれ含む第１サブタイトル記述子５２０及び第２サブタイトル記述子５３０を伝送する。
【０１２１】
したがって、一実施形態によるビデオデータストリーム受信装置２００は、ＰＭＴセクション５１０の第１サブタイトル記述子５２０に基づいて、現在受信されたデータストリームから、ストリーム識別情報値Ｘを持つ第１サブタイトルストリーム５４０を抽出する。また、一実施形態によるビデオデータストリーム受信装置２００は、第２サブタイトル記述子５３０に基づいて、現在受信されたデータストリームから、ストリーム識別情報値Ｙを持つ第２サブタイトルストリーム５６０を検出する。
【０１２２】
一実施形態によるビデオデータストリーム受信装置２００は、ＰＭＴセクション５１０の第１サブタイトル記述子５２０を用いて、第１サブタイトルストリーム５４０から、字幕言語が‘ｓｐａｎｉｓｈ’であり、かつサブタイトルページ識別情報値が１である第１サブタイトルデータ５５０を検出する。
【０１２３】
また、一実施形態によるビデオデータストリーム受信装置２００は、ＰＭＴセクション５１０の第２サブタイトル記述子５３０を用いて、第２サブタイトルストリーム５６０から字幕言語が‘ｉｔａｌｉａｎ’であり、かつサブタイトルページ識別情報値が１である第２サブタイトルデータ５７０を検出する。
【０１２４】
図６は、サブタイトルセグメントのシンタックス６００及びセグメントタイプ情報のシメンティック６４０を示す。
【０１２５】
サブタイトルサービスに対するサブタイトルデータは、サブタイトルセグメントの形態に伝送される。サブタイトルセグメントのシンタックス６００によれば、‘ｐａｇｅ＿ｉｄ’フィールド６２０は、該サブタイトルセグメントに対応するサブタイトルページの識別情報を示す。‘ｓｅｇｍｅｎｔ＿ｔｙｐｅ’フィールド６１０は、該サブタイトルセグメントのセグメントタイプを示す。‘ｓｅｇｍｅｎｔ＿ｄａｔａ＿ｆｉｅｌｄ（）’フィールド６３０は、該サブタイトルページを構成するサブタイトルデータを含む。
【０１２６】
一実施形態によるビデオデータストリーム受信装置２００は、ＰＭＴセクションのサブタイトル記述子の‘ｃｏｍｐｏｓｉｔｉｏｎ−ｐａｇｅ＿ｉｄ’フィールドと、サブタイトルセグメントの‘ｐａｇｅ＿ｉｄ’フィールド６２０とを比べて、‘ｃｏｍｐｏｓｉｔｉｏｎ−ｐａｇｅ＿ｉｄ’フィールド値と一致する‘ｐａｇｅ＿ｉｄ’フィールド６２０を持つサブタイトルセグメントを検出し、サブタイトルセグメントの‘ｓｅｇｍｅｎｔ＿ｄａｔａ＿ｆｉｅｌｄ（）’フィールド６３０からサブタイトルデータを抽出する。
【０１２７】
一実施形態によるビデオデータストリーム受信装置２００は、抽出されたサブタイトルデータに基づいて、ビデオ画面上のサブタイトルの位置、字幕テキストまたはロゴなどの客体を定める。
【０１２８】
セグメントタイプ情報のシメンティック６４０によれば、サブタイトルセグメントタイプは、ページ構成セグメント（ｐａｇｅ  ｃｏｍｐｏｓｉｔｉｏｎ  ｓｅｇｍｅｎｔ）、領域構成セグメント（ｒｅｇｉｏｎ  ｃｏｍｐｏｓｉｔｉｏｎ  ｓｅｇｍｅｎｔ）、ＣＬＵＴ定義セグメント（ＣＬＵＴ  ｄｅｆｉｎｉｔｉｏｎ  ｓｅｇｍｅｎｔ）、客体データセグメント（ｏｂｊｅｃｔ  ｄａｔａ  ｓｅｇｍｅｎｔ）、ディスプレイ定義セグメント（ｄｉｓｐｌａｙ  ｄｅｆｉｎｉｔｉｏｎ  ｓｅｇｍｅｎｔ）、ディスプレイセットセグメント終了（ｅｎｄ  ｏｆ  ｄｉｓｐｌａｙ  ｓｅｔ  ｓｅｇｍｅｎｔ）のうち一つに定められる。
【０１２９】
例えば、一実施形態によるビデオデータストリーム受信装置２００は、サブタイトルセグメントのサブタイトルセグメントタイプ情報に基づいて、現在サブタイトルセグメントがページ構成セグメント、領域構成セグメント、ＣＬＵＴ定義セグメント、客体データセグメント、ディスプレイ定義セグメント及びディスプレイセットセグメント終了のうち一つであると把握する。これにより、一実施形態によるビデオデータストリーム受信装置２００は、現在サブタイトルセグメントの‘ｓｅｇｍｅｎｔ＿ｄａｔａ＿ｆｉｅｌｄ（）’フィールド６３０から、ページ構成データ、領域構成データ、ＣＬＵＴ定義データ、客体データ、ディスプレイ定義データ及びディスプレイセットセグメント終了情報のうち一つを抽出する。
【０１３０】
したがって、一実施形態によるビデオデータストリーム受信装置２００が、スペイン語字幕を選択的に再生するために、ＰＭＴセクション４１０、５１０のサブタイトル記述子に基づいて、ストリーム識別情報値がＸであるサブタイトルストリーム４５０、５４０に含まれたページ識別情報値が１であるサブタイトルページ４６０、５５０がスペイン語字幕データを含むという情報を獲得する。これを用いて、一実施形態によるビデオデータストリーム受信装置２００は、ストリーム識別情報値がＸであるサブタイトルストリーム４５０、５４０から、ページ識別情報値が１であるサブタイトルページ４６０、５５０を検出することで、スペイン語字幕データを獲得して所望の字幕サービスを選択的に再生する。
【０１３１】
以下、図７ないし図１１を参照して、一実施形態によってＤＶＢサブタイトルに基づいて３Ｄサブタイトルサービスを提供するための３Ｄサブタイトルのデータ構造と、３Ｄサブタイトル記述子のシンタックスとが詳述される。
【０１３２】
図７は、一実施形態による３Ｄサブタイトル再生情報を含む３Ｄサブタイトル記述子のシンタックス７００、及び３Ｄサブタイトル再生情報のシメンティック７７０、７８０を示す。
【０１３３】
一実施形態によるビデオデータストリーム伝送装置１００は、一実施形態による３Ｄサブタイトル再生情報をＰＭＴセクションの記述子形態に伝送する。一実施形態による３Ｄサブタイトル記述子‘Ｓｕｂｔｉｔｌｅ＿３ＤＩ＿ｄｅｓｃｒｉｐｔｏｒ’は、ｆｏｒ文７１０を用いて、それぞれのサブタイトルページに関する３Ｄサブタイトル再生情報を含む。
【０１３４】
例えば、一実施形態による３Ｄサブタイトル記述子‘Ｓｕｂｔｉｔｌｅ＿３ＤＩ＿ｄｅｓｃｒｉｐｔｏｒ’は、現在３Ｄサブタイトルサービスのための３Ｄサブタイトル再生情報として、それぞれのサブタイトルページに対する‘３ｄ＿ｃｏｍｐｏｓｉｔｉｏｎ＿ｐａｇｅ＿ｉｄ’フィールド７２０、‘ｐｒｏｆｉｌｅ’フィールド７３０、‘ｃｏｒｒ＿ｐａｇｅ＿ｉｄ’フィールド７４０、‘ｄｅｆａｕｌｔ＿ｄｉｒｅｃｔｉｏｎ’フィールド７５０、‘ｄｅｆａｕｌｔ＿ｏｆｆｓｅｔ’フィールド７６０を含む。
【０１３５】
‘３ｄ＿ｃｏｍｐｏｓｉｔｉｏｎ＿ｐａｇｅ＿ｉｄ’フィールド７２０は、３Ｄサブタイトルを構成する基本視点サブタイトルのサブタイトルデータを含む構成ページに関する識別情報を示す。
【０１３６】
‘ｐｒｏｆｉｌｅ’フィールド７３０は、現在３Ｄサブタイトルの３Ｄサブタイトルタイプ情報を示す。‘ｐｒｏｆｉｌｅ’フィールド７３０のシンタックス７７０によれば、現在３Ｄサブタイトルは、基本視点サブタイトルデータ（１  ｓｕｂｔｉｔｌｅ）と視点別サブタイトルとの間隔に関する情報（ｏｆｆｓｅｔ）に基づいて構成される第１サブタイトルタイプ、または基本視点サブタイトルデータと付加視点サブタイトルデータ（２  ｓｕｂｔｉｔｌｅ）とで構成される第２サブタイトルタイプに定められる。
【０１３７】
‘ｃｏｒｒ＿ｐａｇｅ＿ｉｄ’フィールド７４０は、３Ｄサブタイトルを構成するために、現在基本視点サブタイトルと連関する付加視点サブタイトルデータを含む構成ページに関する識別情報を示す。
【０１３８】
‘ｄｅｆａｕｌｔ＿ｄｉｒｅｃｔｉｏｎ’フィールド７５０及び‘ｄｅｆａｕｌｔ＿ｏｆｆｓｅｔ’フィールド７６０は、３Ｄサブタイトルを構成するために必要な基本視点サブタイトルと付加視点サブタイトルとの間隔に関する情報を提供する。
【０１３９】
‘ｄｅｆａｕｌｔ＿ｄｉｒｅｃｔｉｏｎ’フィールド７５０は、３Ｄサブタイトルを構成するために、それぞれの基本視点ビデオ画面と付加視点ビデオ画面上で、ビデオ画面上で基本視点サブタイトルと付加視点サブタイトルとが遠ざかるか、または近づきつつ変動する３Ｄ効果の方向を示す。‘ｄｅｆａｕｌｔ＿ｄｉｒｅｃｔｉｏｎ’フィールド７５０のシンタックス７８０によれば、サブタイトルが視聴者から遠ざかるように３Ｄ効果が発生する正（ｐｏｓｉｔｉｖｅ）方向、または視聴者に近づくように３Ｄ効果が発生する負（ｎｅｇａｔｉｖｅ）方向に定められる。
【０１４０】
また、‘ｄｅｆａｕｌｔ＿ｏｆｆｓｅｔ’フィールド７６０は、３Ｄサブタイトルを構成するためのビデオ画面上で、基本視点サブタイトルと付加視点サブタイトルとの位置差を示す。
【０１４１】
図８は、一実施形態によって、基本視点サブタイトルデータと、基本視点サブタイトル及び付加視点サブタイトルとの間隔に関する情報とを用いて構成される３Ｄサブタイトルを例示する。
【０１４２】
一実施形態によるビデオデータストリーム受信装置２００は、ＰＭＴセクションから、基本視点サブタイトルと付加視点サブタイトルとの間隔に関する情報８１０を抽出する。
【０１４３】
一実施形態によるビデオデータストリーム受信装置２００は、サブタイトルストリーム８２０から、基本視点サブタイトルのテキスト‘Ｔｈｉｓｉｓａｓｕｂｔｉｔｌｅａｐｐｌｉｃａｔｉｏｎ’のテキストデータ、基本視点サブタイトルのテキストが表示される領域８３５の位置情報（ｘ，ｙ）８３０を獲得する。
【０１４４】
また、一実施形態によるビデオデータストリーム受信装置２００は、基本視点サブタイトルと付加視点サブタイトルとの間隔に関する情報８１０に基づいて、３Ｄサブタイトルの３Ｄ効果方向が負方向であり、視点別サブタイトルの位置差が‘Ｚ’という情報を獲得する。
【０１４５】
一実施形態によるビデオデータストリーム受信装置２００は、基本視点サブタイトルの位置情報８３０、テキストデータ及び視点別サブタイトル間の間隔に関する情報８１０を用いて、基本視点サブタイトル再生画面８４０と付加視点サブタイトル再生画面８７０とを構成する。
【０１４６】
具体的に説明すれば、一実施形態によるビデオデータストリーム受信装置２００は、３Ｄサブタイトルが視聴者側にさらに突出して再生される負方向の３Ｄ効果のためには、左視点ビデオ画面上で左視点サブタイトル領域は、初期位置（ｘ，ｙ）より位置差Ｚほど右側に移動させ、右側ビデオ画面上で右側サブタイトルは、初期位置（ｘ，ｙ）より位置差Ｚほど左側に移動させねばならない。
【０１４７】
したがって、一実施形態によるビデオデータストリーム受信装置２００は、左視点サブタイトル再生画面８４０の位置（ｘ＋Ｚ，ｙ）８５０に、基本視点サブタイトルのテキスト‘Ｔｈｉｓ  ｉｓ  ａ  ｓｕｂｔｉｔｌｅ  ａｐｐｌｉｃａｔｉｏｎ’の領域８６０を表示する。
【０１４８】
また、一実施形態によるビデオデータストリーム受信装置２００は、右視点サブタイトル再生画面８７０の位置（ｘ−Ｚ，ｙ）８８０に、基本視点サブタイトルのテキスト‘Ｔｈｉｓ  ｉｓ  ａ  ｓｕｂｔｉｔｌｅ  ａｐｐｌｉｃａｔｉｏｎ’の領域８９０を表示する。
【０１４９】
一実施形態によるビデオデータストリーム受信装置２００は、ＰＭＴセクションの３Ｄサブタイトル記述子のうちサブタイトルタイプ情報に基づいて、現在サブタイトルが第１サブタイトルタイプによる３Ｄサブタイトルであると把握した後、３Ｄサブタイトル記述子から付加視点サブタイトルに関するページ識別情報を検出する必要なく、視点別サブタイトル間の間隔に関する情報８１０のみ抽出して、第１サブタイトルタイプによる３Ｄサブタイトルを再生してもよい。
【０１５０】
または、一実施形態によるビデオデータストリーム受信装置２００は、サブタイトルタイプ情報と関係なく、ＰＭＴセクションの３Ｄサブタイトル記述子から視点別サブタイトル間の間隔に関する情報８１０のみ抽出された場合、抽出された間隔に関する情報８１０を用いて第１サブタイトルタイプによる３Ｄサブタイトルを再生してもよい。
【０１５１】
または、一実施形態によるビデオデータストリーム受信装置２００は、サブタイトルタイプ情報と関係なく、ＰＭＴセクションの３Ｄサブタイトル記述子から、視点別サブタイトル間の間隔に関する情報８１０と、付加視点サブタイトルに関するページ識別情報とがいずれも検出された場合、間隔に関する情報８１０を優先的に用いて第１サブタイトルタイプによる３Ｄサブタイトルを再生してもよい。
【０１５２】
図９は、一実施形態によって視点別にサブタイトルデータを含み、視点別サブタイトルデータに関する３Ｄサブタイトル再生情報を含むデータストリームの構造を示す。
【０１５３】
一実施形態によるビデオデータストリーム受信装置２００は、ＰＭＴセクション９１０の基礎ストリームに関する情報９２０のうち‘ｓｔｒｅａｍ＿ｔｙｐｅ’９２２及び‘ｅｌｅｍｅｎｔａｒｙ＿ＰＩＤ’９２４に基づいて、プライベートデータ（ｐｒｉｖａｔｅ  ｄａｔａ）を含むＰＥＳパッケージでありつつ基礎ストリーム識別情報がＸであるＰＥＳパッケージ９３０を検出する。
【０１５４】
一実施形態によるビデオデータストリーム受信装置２００は、ＰＭＴセクション９１０のＰＥＳパッケージ９３０に対する記述子領域９２６のうち、サブタイトル記述子‘ｓｕｂｔｉｔｌｉｎｇ＿ｄｅｓｃｒｉｐｔｏｒ’３４０を検出する。一実施形態によるビデオデータストリーム受信装置２００は、サブタイトル記述子‘ｓｕｂｔｉｔｌｉｎｇ＿ｄｅｓｃｒｉｐｔｏｒ’のうちサブタイトルサービス情報９６０に基づいて、ＰＥＳパッケージ９３０から、字幕言語が‘ｅｎｇｌｉｓｈ’であり、かつページ識別情報値が１である構成ページが含むサブタイトルデータ９４０を抽出する。
【０１５５】
また、一実施形態によるビデオデータストリーム受信装置２００は、ＰＭＴセクション９１０のＰＥＳパッケージ９３０に対する記述子領域９２６のうち、一実施形態による３Ｄサブタイトル記述子‘Ｓｕｂｔｉｔｌｅ＿３ＤＩ＿ｄｅｓｃｒｉｐｔｏｒ’７００を検出する。
【０１５６】
一実施形態によるビデオデータストリーム受信装置２００は、サブタイトル記述子‘ｓｕｂｔｉｔｌｉｎｇ＿ｄｅｓｃｒｉｐｔｏｒ’７００の３Ｄサブタイトル再生情報９７０のうち、構成ページ識別情報‘３ｄ＿ｃｏｍｐｏｓｉｔｉｏｎ＿ｐａｇｅ＿ｉｄ’に基づいて、ＰＥＳパッケージ９３０から、字幕言語が‘ｅｎｇｌｉｓｈ’であり、かつページ識別情報値が１である構成ページが含む基本視点サブタイトルデータ９４０を抽出する。
【０１５７】
また、一実施形態によるビデオデータストリーム受信装置２００は、サブタイトル記述子‘ｓｕｂｔｉｔｌｉｎｇ＿ｄｅｓｃｒｉｐｔｏｒ’７００の３Ｄサブタイトル再生情報９７０のうち、連関ページ識別情報‘ｃｏｒｒ＿ｐａｇｅ＿ｉｄ’に基づいて、ＰＥＳパッケージ９３０からページ識別情報値が２である構成ページが含む付加視点サブタイトルデータ９５０を抽出する。
【０１５８】
一実施形態によるビデオデータストリーム受信装置２００は、ＰＭＴセクションの３Ｄサブタイトル記述子のうちサブタイトルタイプ情報に基づいて、現在サブタイトルが第２サブタイトルタイプによる３Ｄサブタイトルであると把握した後、３Ｄサブタイトル記述子から視点別サブタイトル間の間隔に関する情報８１０を検出する必要なく、付加視点サブタイトルに関するページ識別情報のみを抽出して、第２サブタイトルタイプによる３Ｄサブタイトルを再生してもよい。
【０１５９】
または、一実施形態によるビデオデータストリーム受信装置２００は、サブタイトルタイプ情報と関係なく、ＰＭＴセクションの３Ｄサブタイトル記述子から、付加視点サブタイトルに関するページ識別情報のみ抽出された場合、付加視点サブタイトルに関するページ識別情報を用いて、第２サブタイトルタイプによる３Ｄサブタイトルを再生してもよい。
【０１６０】
または、一実施形態によるビデオデータストリーム受信装置２００は、サブタイトルタイプ情報と関係なく、ＰＭＴセクションの３Ｄサブタイトル記述子から、視点別サブタイトル間の間隔に関する情報８１０と、付加視点サブタイトルに関するページ識別情報とがいずれも検出された場合、付加視点サブタイトルに関するページ識別情報を優先的に用いて第２サブタイトルタイプによる３Ｄサブタイトルを再生してもよい。
【０１６１】
もし、図５の実施形態のように、基本視点サブタイトルデータと付加視点サブタイトルデータとが異なるストリームを通じて受信されるならば、一実施形態によるビデオデータストリーム受信装置２００は、ＰＭＴセクションの３Ｄサブタイトル記述子から、付加視点サブタイトルに関するページ識別情報だけでなく付加視点サブタイトルに対するストリーム識別情報も検出できる。この場合、一実施形態によるビデオデータストリーム受信装置２００は、付加視点サブタイトルに対するストリーム識別情報及びページ識別情報を用いて、付加視点サブタイトルデータが伝送されたサブタイトルストリームを検出し、検出されたサブタイトルストリーム内で付加視点サブタイトルデータが伝送されたページを検出する。
【０１６２】
図１０は、一実施形態によるビデオデータストリーム伝送方法のフローチャートを示す。一実施形態によるビデオデータストリーム伝送方法は、ビデオサービスと共に字幕サービスを含むデジタル放送サービスを提供するために、ビデオデータと共に字幕データを伝送するためのビデオデータストリームを生成する。
【０１６３】
段階１０１０で、ビデオデータが再生されるビデオ画面上でサブタイトルを３次元に再生するために、基本視点サブタイトルデータ及び付加視点サブタイトルデータを含むサブタイトルストリームが生成される。
【０１６４】
基本視点サブタイトルデータと付加視点サブタイトルデータとをいずれも含むサブタイトルストリームが生成される。または、基本視点サブタイトルデータを含む第１サブタイトルストリームと、付加視点サブタイトルデータを含む第２サブタイトルストリームとがそれぞれ生成されてもよい。
【０１６５】
サブタイトルデータは、一つ以上のサブタイトルページに識別され、基本視点サブタイトルデータと付加視点サブタイトルデータとは、互いに異なるサブタイトルページに区別される。
【０１６６】
段階１０２０で、基本視点サブタイトルデータに基づいて、ビデオ画面上で３Ｄサブタイトルを構成するための３Ｄサブタイトル再生情報が定められる。
【０１６７】
一実施形態による３Ｄサブタイトル再生情報は、基本視点サブタイトルデータのページ識別情報、３Ｄサブタイトルタイプ情報、付加視点サブタイトルデータのページ識別情報、及び基本視点サブタイトルと付加視点サブタイトルとの間隔に関する情報のうち少なくとも一つを含む。
【０１６８】
一実施形態による３Ｄサブタイトル再生情報は、ＰＭＴセクションの記述子形式に伝送される。
【０１６９】
段階１０３０で、３Ｄサブタイトル再生情報を含むＰＭＴセクション、サブタイトルストリーム及びビデオデータを含むビデオストリームを多重化してＴＳパッケージが出力される。
【０１７０】
図１１は、一実施形態によるビデオデータストリーム受信方法のフローチャートを示す。一実施形態によるビデオデータストリーム受信方法は、デジタル放送サービスを提供するビデオデータストリームを受信して、ビデオサービスと共に字幕サービスのためのビデオデータと字幕データとをいずれも受信する。
【０１７１】
段階１１１０で、デジタル放送サービスを提供するためのＴＳパッケージが逆多重化されれば、ＰＭＴセクション、サブタイトルストリームとビデオデータを含むビデオストリームとが抽出される。
【０１７２】
段階１１２０で、ビデオストリームから、３Ｄビデオの基本視点ビデオデータ及び付加視点ビデオデータが抽出される。
【０１７３】
段階１１３０で、ビデオ画面上でサブタイトルを３次元に再生するために、基本視点サブタイトルデータ及び付加視点サブタイトルデータがサブタイトルストリームから抽出される。
【０１７４】
一つのサブタイトルストリームから、基本視点サブタイトルデータ及び付加視点サブタイトルデータがいずれも抽出される。また、第１ページを構成する基本視点サブタイトルデータと、第２サブタイトルストリームから第２ページを構成する付加視点サブタイトルデータとが、それぞれ異なるサブタイトルストリームから抽出されてもよい。
【０１７５】
段階１１４０で、基本視点サブタイトルデータに基づいて、前記ビデオ画面上で３Ｄサブタイトルを構成するための３Ｄサブタイトル再生情報がＰＭＴセクションから抽出される。
【０１７６】
一実施形態による基本視点サブタイトルデータと付加視点サブタイトルデータとは、互いに異なるサブタイトルページによって識別されるので、３Ｄサブタイトル再生情報のうちサブタイトルページ識別情報に基づいて、サブタイトルストリームから基本視点サブタイトルデータ及び付加視点サブタイトルデータが検出される。
【０１７７】
一実施形態による３Ｄサブタイトル再生情報から、基本視点サブタイトルデータのページ識別情報、３Ｄサブタイトルタイプ情報、付加視点サブタイトルデータのページ識別情報、及び視点別サブタイトル間の間隔に関する情報のうち少なくとも一つが検出される。
【０１７８】
一実施形態によるＰＭＴセクションの記述子領域から、３Ｄサブタイトル再生情報が抽出される。
【０１７９】
段階１１５０で、基本視点サブタイトルデータ及び３Ｄサブタイトル再生情報に基づいて、基本視点ビデオデータと付加視点ビデオデータと３Ｄサブタイトルとが合成されて再生される。
【０１８０】
一実施形態による３Ｄサブタイトルタイプ情報に基づいて、現在３Ｄサブタイトルタイプが第１サブタイトルタイプに定められれば、３Ｄサブタイトル再生情報のうち、基本視点サブタイトルと付加視点サブタイトルとの間隔に関する情報を用いて、基本視点サブタイトルデータが付加視点サブタイトルデータの位置に配されるように、付加視点ビデオデータと合成される。
【０１８１】
一実施形態による３Ｄサブタイトルタイプに基づいて、現在３Ｄサブタイトルタイプが第２サブタイトルタイプに定められれば、３Ｄサブタイトル再生情報のうち、付加視点サブタイトルデータのページ識別情報に基づいて基礎時点サブタイトルデータに対応する付加視点サブタイトルデータが検出され、付加視点サブタイトルデータは付加視点ビデオデータと合成される。
【０１８２】
したがって、一実施形態によるビデオデータストリーム伝送装置１００は、ＤＶＢ方式によって３Ｄビデオサービスを提供するために３Ｄビデオデータを含むビデオデータストリームに、３Ｄサブタイトルを構成するための基本視点サブタイトルデータと付加視点サブタイトルデータとをそれぞれ含ませて伝送する。
【０１８３】
また、一実施形態によるビデオデータストリーム伝送装置１００は、ＤＶＢ方式による３Ｄビデオデータストリームに、基本視点サブタイトルデータに対応する付加視点サブタイトルデータを示す付加情報、または基本視点サブタイトルと付加視点サブタイトルとの間隔を示す付加情報を挿入して伝送する。
【０１８４】
一実施形態によるビデオデータストリーム受信装置２００は、ＤＶＢ方式によるビデオデータストリームを受信して３Ｄビデオデータを抽出し、３Ｄサブタイトルを構成するための基本視点サブタイトルデータと付加視点サブタイトルデータとをそれぞれ抽出する。
【０１８５】
また、一実施形態によるビデオデータストリーム受信装置２００は、ＤＶＢ方式による３Ｄビデオデータストリームから、基本視点サブタイトルデータに対応する付加視点サブタイトルデータを示す付加情報、または基本視点サブタイトルと付加視点サブタイトルとの間隔を示す付加情報を抽出する。
【０１８６】
一実施形態によるビデオデータストリーム受信装置２００は、抽出された付加情報を用いて、基本視点サブタイトルデータ及び基本視点ビデオデータを合成して基本視点ビデオ画面を構成し、付加視点サブタイトルデータ及び付加視点ビデオデータを合成して付加視点ビデオ画面を構成して、基本視点ビデオ画面と付加視点ビデオ画面とを交互に再生することで、３Ｄ字幕サービスを提供する３Ｄビデオサービスを具現する。
【０１８７】
また、一実施形態によるビデオデータストリーム伝送装置１００は、付加視点サブタイトルデータを基本視点サブタイトルデータと同じデータ形式に提供しつつ、一実施形態による３Ｄサブタイトル再生情報を、ＤＶＢ方式によるＰＭＴセクションに挿入される記述子形式に提供する。したがって、３Ｄビデオ再生が不可能であるか、または、一実施形態による３Ｄサブタイトル再生方式を支援しないその他のビデオ再生機器が、一実施形態によるビデオデータストリーム伝送装置１００が伝送したビデオデータストリームを受信しても、パージングしてその他のビデオ再生機器に必要な情報を抽出し、ビデオを再生できるように下位互換性が保証される。
【０１８８】
本発明に開示されたブロック図は、本発明の原理を具現するための回路を概念的に表現した形態であると当業者に解釈される。類似して、任意のフローチャート、状態遷移度、擬似コードなどはコンピュータで読み取り可能な媒体で実質的に表現されて、コンピュータまたはプロセッサーが明示的な図示とは関係なく、かかるコンピュータまたはプロセッサーによって行われる多様なプロセスを示すということが当業者に認識される。したがって、前述した本発明の実施形態はコンピュータで行われるプログラムで作成でき、コンピュータで読み取り可能な記録媒体を用いて前記プログラムを動作させる汎用デジタルコンピュータで具現できる。前記コンピュータで読み取り可能な記録媒体は、マグネチック記録媒体（例えば、ＲＯＭ（Ｒｅａｄ  Ｏｎｌｙ  Ｍｅｍｏｒｙ）、フロッピー（登録商標）、ハードディスクなど）、光学的判読媒体（例えば、ＣＤ−ＲＯＭ、ＤＶＤなど）などの記録媒体を含む。
【０１８９】
図面に示した多様な要素の機能は、適当なソフトウェアに関してソフトウェアを行えるハードウェアだけではなく専用ハードウェアの利用で提供される。プロセッサーによって提供される時、これらの機能は単一専用プロセッサー、単一共有プロセッサー、または一部が共有される複数の個別プロセッサーによって提供される。また、用語“プロセッサー”または“制御部”の明示的な利用は、ソフトウェアを行えるハードウェアを排他的に指称すると解釈されてはならず、制限なしに、デジタル信号プロセッサー（ＤＳＰ）ハードウェア、ソフトウェアを保存するための判読専用メモリ（ＲＯＭ）、ランダムアクセスメモリ（ＲＡＭ）、及び不揮発性保存装置を暗黙的に含む。
【０１９０】
本明細書の請求項で、特定機能を行うための手段として表現された要素は、特定機能を行う任意の方式を包括し、これらの要素は特定機能を行う回路要素の組み合わせ、または特定機能を行うためのソフトウェアを行うに好適な回路と結合された、ファームウエア、マイクロコードなどを含む任意の形態のソフトウェアを含む。
【０１９１】
本明細書で本発明の原理の‘一実施形態’とこれらの表現の多様な変形の指称とは、この実施形態に関して特定特徴、構造、特性などが本発明の原理の少なくとも一つの実施形態に含まれるということを意味する。したがって、表現‘一実施形態で’と、本明細書全体にわたって開示された任意の他の変形例とは、必ずしもいずれも同じ実施形態を称するものではない。
【０１９２】
本明細書で、‘ＡとＢのうち少なくとも一つ’の場合に‘〜のうち少なくとも一つ’の表現は、最初のオプション（Ａ）の選択のみ、または２番目に挙げられたオプション（Ｂ）の選択のみ、または両方のオプション（ＡとＢ）の選択を包括するために使われる。追加的な例として、‘Ａ、Ｂ、及びＣのうち少なくとも一つ’の場合は、最初に挙げられたオプション（Ａ）の選択のみ、または２番目に挙げられたオプション（Ｂ）の選択のみ、または３番目に挙げられたオプション（Ｃ）の選択のみ、または最初及び２番目に挙げられたオプション（ＡとＢ）の選択のみ、または２番目と３番目に挙げられたオプション（ＢとＣ）の選択のみ、またはこれら３個のオプションの選択（ＡとＢとＣ）を包括する。さらに多くの項目が挙げられる場合にも当業者に明らかに拡張解釈される。
【０１９３】
これまで本発明についてその望ましい実施形態を中心として説明した。
【０１９４】
本明細書で開示されたあらゆる実施形態及び条件付き例示は、当業者が読者に本発明の原理及び概念を理解させるための意図で記述されたものであり、当業者は、本発明が本発明の本質的な特性から逸脱しない範囲で変形された形態に具現できるということを理解できるであろう。したがって、開示された実施形態は限定的な観点ではなく説明的な観点で考慮されねばならない。本発明の範囲は前述した説明ではなく特許請求の範囲に示されており、それと同等な範囲内にいるあらゆる差異は本発明に含まれていると解釈されねばならない。
【図１】
0006049612.tif 000002
【図２】
0006049612.tif 000003
【図３】
0006049612.tif 000004
【図４】
0006049612.tif 000005
【図５】
0006049612.tif 000006
【図６】
0006049612.tif 000007
【図７】
0006049612.tif 000008
【図８】
0006049612.tif 000009
【図９】
0006049612.tif 000010
【図１０】
0006049612.tif 000011
【図１１】
0006049612.tif 000012